(57)【特許請求の範囲】
【請求項１】
物体側から像側へと順に、第１群と、開口絞りと、第２群からなり、
前記第２群は、２枚のガラスレンズからなる正のパワーを有する接合レンズを備え、
前記２枚のガラスレンズの接合側の互いの面は、共に非球面であり、
以下の条件（１）、（３）、（５）を同時に満足し、
｜ｄｎ／ｄｔ１｜ＭＡＸ≦２．６７×１０−５  ・・・（１）
２．８３７２≦ｆＣＥＭ／ｆ＜３．５  ・・・（３）
ＮｄＭＩＮ＞１．５５  ・・・（５）
ここで、
｜ｄｎ／ｄｔ１｜ＭＡＸ：前記接合レンズを構成する各レンズ素子について求めた、波長領域５８０〜６４０ｎｍの光に対する０〜２０℃の空気中での相対屈折率温度係数の絶対値における、最大値、
ｆＣＥＭ：前記接合レンズのｄ線における焦点距離、
ｆ：全系のｄ線における焦点距離、
ＮｄＭＩＮ：接合レンズ素子を構成する正レンズ素子の、ｄ線における屈折率
である、
レンズ系。
【請求項２】
前記２枚のガラスレンズの接合側の互いの面は、共に光軸から離れるに従って、パワーが弱まる非球面である、請求項１に記載のレンズ系。
【請求項３】
以下の条件（２）を満足し、
２ωＤＩＡ≧１５０  ・・・（２）
ここで、
２ωＤＩＡ：対角画角（°）、
である、
請求項１または２に記載のレンズ系。
【請求項４】
前記第１群は物体側から像側へと順に、  第１レンズ素子と、
第２レンズ素子と、
第３レンズ素子と、
を備え、
以下の条件（４）を満足し、
｜ｄｎ／ｄｔ２｜ＭＡＸ≧９．００×１０−５  ・・・（４）
ここで、
｜ｄｎ／ｄｔ２｜ＭＡＸ：前記第２レンズ素子及び前記第３レンズ素子について求めた、波長領域５８０〜６４０ｎｍの光に対する０〜２０℃の空気中での相対屈折率温度係数の絶対値における最大値、である、
請求項１から３のいずれか一項に記載のレンズ系。
【発明の詳細な説明】
【技術分野】
【０００１】
本開示は、レンズ系に関する。
【背景技術】
【０００２】
特許文献１は、全体として６枚という比較的少ないレンズ枚数で、各レンズの形状、配置等を最適化した広角レンズ系を開示している。
【先行技術文献】
【特許文献】
【０００３】
【特許文献１】特開２００８−０７６７１６号公報
【発明の概要】
【発明が解決しようとする課題】
【０００４】
本開示は、光学特性に優れたレンズ系を提供する。
【課題を解決するための手段】
【０００５】
本開示におけるレンズ系は、物体側から像側へと順に、第１群と、開口絞りと、第２群からなり、第２群は、２枚のガラスレンズからなる正のパワーを有する接合レンズを備え、２枚のガラスレンズの接合側の互いの面は、共に非球面であり、以下の条件（１）、（３）、（５）を満足する。
｜ｄｎ／ｄｔ１｜ＭＡＸ≦２．６７×１０−５  ・・・（１）
２．８３７２≦ｆＣＥＭ／ｆ＜３．５  ・・・（３）
ＮｄＭＩＮ＞１．５５  ・・・（５）
ここで、
｜ｄｎ／ｄｔ１｜ＭＡＸ：接合レンズを構成する各レンズ素子について求めた、波長領域５８０〜６４０ｎｍの光に対する０〜２０℃の空気中での相対屈折率温度係数の絶対値における、最大値、
ｆＣＥＭ：前記接合レンズのｄ線における焦点距離、
ｆ：全系のｄ線における焦点距離、
ＮｄＭＩＮ：接合レンズ素子を構成する正レンズ素子の、ｄ線における屈折率である。
【発明の効果】
【０００６】
本開示によれば、光学特性に優れたレンズ系を提供できる。
【図面の簡単な説明】
【０００７】
【図１】実施の形態１（数値実施例１）に係る単焦点レンズ系の無限遠合焦状態を示すレンズ配置図
【図２】数値実施例１に係る単焦点レンズ系の無限遠合焦状態の縦収差図。
【図３】実施の形態２（数値実施例２）に係る単焦点レンズ系の無限遠合焦状態を示すレンズ配置図。
【図４】数値実施例２に係る単焦点レンズ系の無限遠合焦状態の縦収差図。
【図５】実施の形態３（数値実施例３）に係る単焦点レンズ系の無限遠合焦状態を示すレンズ配置図。
【図６】数値実施例３に係る単焦点レンズ系の無限遠合焦状態の縦収差図。
【図７】実施の形態４（数値実施例４）に係る単焦点レンズ系の無限遠合焦状態を示すレンズ配置図。
【図８】数値実施例４に係る単焦点レンズ系の無限遠合焦状態の縦収差図。
【図９】実施の形態５（数値実施例５）に係る単焦点レンズ系の無限遠合焦状態を示すレンズ配置図。
【図１０】数値実施例５に係る単焦点レンズ系の無限遠合焦状態の縦収差図。
【図１１】実施の形態６（数値実施例６）に係る単焦点レンズ系の無限遠合焦状態を示すレンズ配置図。
【図１２】数値実施例６に係る単焦点レンズ系の無限遠合焦状態の縦収差図。
【図１３】実施の形態１に係る単焦点レンズ系を備えた車載カメラ、及び車載カメラを車両の後側位置に備えた自動車の概略図。
【図１４】車載カメラを車両の後側位置に備えた自動車における、車載カメラの画像による車両後方の視認の可否の決定箇所及びそれを含む範囲を示す概略図。
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を充分に理解するために添付図面および以下の説明を提供するのであって、これらによって請求の範囲に記載の主題を限定することを意図するものではない。
【００１０】
本開示において、第１群とは、少なくとも１枚のレンズ素子で構成された群であり、第２群とは、少なくとも２枚のレンズ素子で構成された群であり、群を構成するレンズ素子の種類、枚数、配置等に応じて、群ごとにパワー、合成焦点距離等が決定される。
【００１１】
（実施の形態１〜６：単焦点レンズ系）
図１、３、５、７、９及び１１は、各々実施の形態１〜６に係る単焦点レンズ系のレンズ配置図であり、いずれも無限遠合焦状態にある単焦点レンズ系を表している。各図において、特定の面に付されたアスタリスク＊は、該面が非球面であることを示している。各図において、最も右側に記載された直線は、像面Ｓの位置を表しており、像面Ｓの物体側には、平行平板ＣＧが設けられている。
【００１２】
（実施の形態１）
実施の形態１に係る単焦点レンズ系は、図１に示すように、物体側から像側へと順に、第１レンズ素子Ｌ１と、第２レンズ素子Ｌ２と、第３レンズ素子Ｌ３と、開口絞りＡと、第４レンズ素子Ｌ４及び第５レンズ素子Ｌ５からなる接合レンズ素子とからなる。第１レンズ素子Ｌ１、第２レンズ素子Ｌ２及び第３レンズ素子Ｌ３が第１群を構成しており、接合レンズ素子が第２群を構成している。
【００１３】
第１レンズ素子Ｌ１は、負のパワーを有するガラスからなるレンズ素子であり、物体側に凸面を向けた負メニスカス形状のレンズ素子である。
【００１４】
第２レンズ素子Ｌ２は、負のパワーを有する樹脂からなるレンズ素子であり、両凹形状のレンズ素子である。第２レンズ素子Ｌ２では、物体側及び像側の凹面が非球面である。像側の凹面は、光軸から離れるに従って、負のパワーが弱まる非球面である。
【００１５】
第３レンズ素子Ｌ３は、正のパワーを有する樹脂からなるレンズ素子であり、両凸形状のレンズ素子である。第３レンズ素子Ｌ３では、物体側及び像側の凸面が非球面である。物体側の凸面は、光軸から離れるに従って、正のパワーが強まる非球面である。像側の凸面は、光軸から離れるに従って、正のパワーが弱まる非球面である。
【００１６】
接合レンズ素子は、第４レンズ素子Ｌ４と第５レンズ素子Ｌ５とが接合されており、正のパワーを有する。第４レンズ素子Ｌ４は、負のパワーを有するガラスからなるレンズ素子であり、物体側に凸面を向けた負メニスカス形状のレンズ素子である。第５レンズ素子Ｌ５は、正のパワーを有するガラスからなるレンズ素子であり、両凸形状のレンズ素子である。
【００１７】
接合レンズ素子では、第４レンズ素子Ｌ４の物体側の凸面、第４レンズ素子Ｌ４と第５レンズ素子Ｌ５との接合面、及び第５レンズ素子Ｌ５の像側の凸面が非球面である。第４レンズ素子Ｌ４の物体側の凸面は、光軸から離れるに従って、正のパワーが弱まる非球面である。第４レンズ素子Ｌ４と第５レンズ素子Ｌ５との接合面は、物体側に凸面を向けており、光軸から離れるに従って、パワーが弱まる非球面である。第５レンズ素子Ｌ５の像側の凸面は、光軸から離れるに従って、正のパワーが弱まる非球面である。
【００１８】
（実施の形態２）
実施の形態２に係る単焦点レンズ系は、図３に示すように、物体側から像側へと順に、第１レンズ素子Ｌ１と、第２レンズ素子Ｌ２と、第３レンズ素子Ｌ３と、開口絞りＡと、第４レンズ素子Ｌ４及び第５レンズ素子Ｌ５からなる接合レンズ素子とからなる。第１レンズ素子Ｌ１、第２レンズ素子Ｌ２及び第３レンズ素子Ｌ３が第１群を構成しており、接合レンズ素子が第２群を構成している。
【００１９】
第１レンズ素子Ｌ１は、負のパワーを有するガラスからなるレンズ素子であり、物体側に凸面を向けた負メニスカス形状のレンズ素子である。
【００２０】
第２レンズ素子Ｌ２は、負のパワーを有するガラスからなるレンズ素子であり、両凹形状のレンズ素子である。
【００２１】
第３レンズ素子Ｌ３は、正のパワーを有するガラスからなるレンズ素子であり、両凸形状のレンズ素子である。
【００２２】
接合レンズ素子は、第４レンズ素子Ｌ４と第５レンズ素子Ｌ５とが接合されており、正のパワーを有する。第４レンズ素子Ｌ４は、正のパワーを有するガラスからなるレンズ素子であり、両凸形状のレンズ素子である。第５レンズ素子Ｌ５は、負のパワーを有するガラスからなるレンズ素子であり、物体側に凹面を向けた負メニスカス形状のレンズ素子である。
【００２３】
接合レンズ素子では、第４レンズ素子Ｌ４の物体側の凸面、第４レンズ素子Ｌ４と第５レンズ素子Ｌ５との接合面、及び第５レンズ素子Ｌ５の像側の凸面が非球面である。第４レンズ素子Ｌ４の物体側の凸面は、光軸から離れるに従って、正のパワーが強まる非球面である。第４レンズ素子Ｌ４と第５レンズ素子Ｌ５との接合面は、像側に凸面を向けており、光軸から離れるに従って、パワーが弱まる非球面である。第５レンズ素子Ｌ５の像側の凸面は、光軸から離れるに従って、正のパワーが弱まる非球面である。
【００２４】
（実施の形態３）
実施の形態３に係る単焦点レンズ系は、図５に示すように、物体側から像側へと順に、第１レンズ素子Ｌ１と、第２レンズ素子Ｌ２と、第３レンズ素子Ｌ３と、開口絞りＡと、第４レンズ素子Ｌ４及び第５レンズ素子Ｌ５からなる接合レンズ素子とからなる。第１レンズ素子Ｌ１、第２レンズ素子Ｌ２及び第３レンズ素子Ｌ３が第１群を構成しており、接合レンズ素子が第２群を構成している。
【００２５】
第１レンズ素子Ｌ１は、負のパワーを有するガラスからなるレンズ素子であり、物体側に凸面を向けた負メニスカス形状のレンズ素子である。
【００２６】
第２レンズ素子Ｌ２は、負のパワーを有するガラスからなるレンズ素子であり、物体側に凸面を向けた負メニスカス形状のレンズ素子である。
【００２７】
第３レンズ素子Ｌ３は、正のパワーを有するガラスからなるレンズ素子であり、両凸形状のレンズ素子である。
【００２８】
接合レンズ素子は、第４レンズ素子Ｌ４と第５レンズ素子Ｌ５とが接合されており、正のパワーを有する。第４レンズ素子Ｌ４は、負のパワーを有するガラスからなるレンズ素子であり、物体側に凸面を向けた負メニスカス形状のレンズ素子である。第５レンズ素子Ｌ５は、正のパワーを有するガラスからなるレンズ素子であり、両凸形状のレンズ素子である。
【００２９】
接合レンズ素子では、第４レンズ素子Ｌ４の物体側の凸面、第４レンズ素子Ｌ４と第５レンズ素子Ｌ５との接合面、及び第５レンズ素子Ｌ５の像側の凸面が非球面である。第４レンズ素子Ｌ４の物体側の凸面は、光軸から離れるに従って、正のパワーが弱まる非球面である。第４レンズ素子Ｌ４と第５レンズ素子Ｌ５との接合面は、物体側に凸面を向けており、光軸から離れるに従って、パワーが弱まる非球面である。第５レンズ素子Ｌ５の像側の凸面は、光軸から離れるに従って、正のパワーが弱まる非球面である。
【００３０】
（実施の形態４）
実施の形態４に係る単焦点レンズ系は、図７に示すように、物体側から像側へと順に、第１レンズ素子Ｌ１と、第２レンズ素子Ｌ２と、第３レンズ素子Ｌ３と、開口絞りＡと、第４レンズ素子Ｌ４及び第５レンズ素子Ｌ５からなる接合レンズ素子とからなる。第１レンズ素子Ｌ１、第２レンズ素子Ｌ２及び第３レンズ素子Ｌ３が第１群を構成しており、接合レンズ素子が第２群を構成している。
【００３１】
第１レンズ素子Ｌ１は、負のパワーを有するガラスからなるレンズ素子であり、物体側に凸面を向けた負メニスカス形状のレンズ素子である。
【００３２】
第２レンズ素子Ｌ２は、負のパワーを有する樹脂からなるレンズ素子であり、両凹形状のレンズ素子である。第２レンズ素子Ｌ２では、物体側及び像側の凹面が非球面である。物体側の凹面は、光軸から離れるに従って、負のパワーが弱まる非球面である。像側の凹面は、光軸から離れるに従って、負のパワーが弱まる非球面である。
【００３３】
第３レンズ素子Ｌ３は、正のパワーを有する樹脂からなるレンズ素子であり、両凸形状のレンズ素子である。第３レンズ素子Ｌ３では、物体側及び像側の凸面が非球面である。物体側の凸面は、光軸から離れるに従って、正のパワーが弱まる非球面である。
【００３４】
接合レンズ素子は、第４レンズ素子Ｌ４と第５レンズ素子Ｌ５とが接合されており、正のパワーを有する。第４レンズ素子Ｌ４は、負のパワーを有するガラスからなるレンズ素子であり、物体側に凸面を向けた負メニスカス形状のレンズ素子である。第５レンズ素子Ｌ５は、正のパワーを有するガラスからなるレンズ素子であり、両凸形状のレンズ素子である。
【００３５】
接合レンズ素子では、第４レンズ素子Ｌ４の物体側の凸面、第４レンズ素子Ｌ４と第５レンズ素子Ｌ５との接合面、及び第５レンズ素子Ｌ５の像側の凸面が非球面である。第４レンズ素子Ｌ４の物体側の凸面は、光軸から離れるに従って、正のパワーが弱まる非球面である。第４レンズ素子Ｌ４と第５レンズ素子Ｌ５との接合面は、物体側に凸面を向けており、光軸から離れるに従って、パワーが弱まる非球面である。第５レンズ素子Ｌ５の像側の凸面は、光軸から離れるに従って、正のパワーが弱まる非球面である。
【００３６】
（実施の形態５）
実施の形態５に係る単焦点レンズ系は、図９に示すように、物体側から像側へと順に、第１レンズ素子Ｌ１と、第２レンズ素子Ｌ２と、第３レンズ素子Ｌ３と、開口絞りＡと、第４レンズ素子Ｌ４及び第５レンズ素子Ｌ５からなる接合レンズ素子とからなる。第１レンズ素子Ｌ１、第２レンズ素子Ｌ２及び第３レンズ素子Ｌ３が第１群を構成しており、接合レンズ素子が第２群を構成している。
【００３７】
第１レンズ素子Ｌ１は、負のパワーを有するガラスからなるレンズ素子であり、物体側に凸面を向けた負メニスカス形状のレンズ素子である。
【００３８】
第２レンズ素子Ｌ２は、負のパワーを有する樹脂からなるレンズ素子であり、両凹形状のレンズ素子である。第２レンズ素子Ｌ２では、物体側及び像側の凹面が非球面である。物体側の凹面は、光軸から離れるに従って、負のパワーが弱まる非球面である。像側の凹面は、光軸から離れるに従って、負のパワーが弱まる非球面である。
【００３９】
第３レンズ素子Ｌ３は、正のパワーを有する樹脂からなるレンズ素子であり、両凸形状のレンズ素子である。第３レンズ素子Ｌ３では、物体側及び像側の凸面が非球面である。物体側の凸面は、光軸から離れるに従って、正のパワーが弱まる非球面である。
【００４０】
接合レンズ素子は、第４レンズ素子Ｌ４と第５レンズ素子Ｌ５とが接合されており、正のパワーを有する。第４レンズ素子Ｌ４は、負のパワーを有するガラスからなるレンズ素子であり、物体側に凸面を向けた負メニスカス形状のレンズ素子である。第５レンズ素子Ｌ５は、正のパワーを有するガラスからなるレンズ素子であり、両凸形状のレンズ素子である。
【００４１】
接合レンズ素子では、第４レンズ素子Ｌ４の物体側の凸面、第４レンズ素子Ｌ４と第５レンズ素子Ｌ５との接合面、及び第５レンズ素子Ｌ５の像側の凸面が非球面である。第４レンズ素子Ｌ４と第５レンズ素子Ｌ５との接合面は、物体側に凸面を向けており、光軸から離れるに従って、パワーが弱まる非球面である。第５レンズ素子Ｌ５の像側の凸面は、光軸から離れるに従って、正のパワーが弱まる非球面である。
【００４２】
（実施の形態６）
実施の形態６に係る単焦点レンズ系は、図１１に示すように、物体側から像側へと順に、第１レンズ素子Ｌ１と、第２レンズ素子Ｌ２と、第３レンズ素子Ｌ３と、開口絞りＡと、第４レンズ素子Ｌ４及び第５レンズ素子Ｌ５からなる接合レンズ素子とからなる。第１レンズ素子Ｌ１、第２レンズ素子Ｌ２及び第３レンズ素子Ｌ３が第１群を構成しており、接合レンズ素子が第２群を構成している。
【００４３】
第１レンズ素子Ｌ１は、負のパワーを有するガラスからなるレンズ素子であり、物体側に凸面を向けた負メニスカス形状のレンズ素子である。
【００４４】
第２レンズ素子Ｌ２は、負のパワーを有するガラスからなるレンズ素子であり、両凹形状のレンズ素子である。
【００４５】
第３レンズ素子Ｌ３は、正のパワーを有するガラスからなるレンズ素子であり、両凸形状のレンズ素子である。
【００４６】
接合レンズ素子は、第４レンズ素子Ｌ４と第５レンズ素子Ｌ５とが接合されており、正のパワーを有する。第４レンズ素子Ｌ４は、正のパワーを有するガラスからなるレンズ素子であり、両凸形状のレンズ素子である。第５レンズ素子Ｌ５は、負のパワーを有するガラスからなるレンズ素子であり、物体側に凹面を向けた負メニスカス形状のレンズ素子である。
【００４７】
接合レンズ素子では、第４レンズ素子Ｌ４の物体側の凸面、第４レンズ素子Ｌ４と第５レンズ素子Ｌ５との接合面、及び第５レンズ素子Ｌ５の像側の凸面が非球面である。第４レンズ素子Ｌ４の物体側の凸面は、光軸から離れるに従って、正のパワーが強まる非球面である。第４レンズ素子Ｌ４と第５レンズ素子Ｌ５との接合面は、像側に凸面を向けており、光軸から離れるに従って、パワーが弱まる非球面である。第５レンズ素子Ｌ５の像側の凸面は、光軸から離れるに従って、正のパワーが弱まる非球面である。
【００４８】
（実施の形態１〜６の展開例）
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【００４９】
例えば、実施の形態１〜６において例示した接合レンズ素子の材料に替えて、以下の材料を用いることも可能である。これは、波長領域５８０〜６４０ｎｍの光に対する０〜２０℃の空気中での相対屈折率温度係数が、後述する所定の条件を満足するためである。なおこれらに限らず、目的に沿う材料であれば、種々の材料を用いることができる。
【００５０】
前記負のパワーを有するレンズ素子の硝材の代替例を以下に記載する。
ア．ＨＯＹＡ（株）製
硝種名：Ｍ−ＦＤＳ２、Ｍ−ＦＤＳ１、Ｍ−ＦＤＳ９１０、
Ｍ−ＦＤ８０、Ｍ−ＮＢＦＤ１０、Ｍ−ＴＡＦＤ３０７
イ．（株）住田光学ガラス製
硝種名：Ｋ−ＰＳＦｎ２０３、Ｋ−ＰＳＦｎ２、Ｋ−ＰＳＦｎ５、
Ｋ−ＰＳＦｎ１、Ｋ−ＰＳＦｎ４、Ｋ−ＰＳＦｎ３、
Ｋ−ＶＣ９１、Ｋ−ＶＣ９０、Ｋ−ＺｎＳＦ８、Ｋ−ＰＧ３９５、
Ｋ−ＣＤ４５、Ｋ−ＣＤ１２０
ウ．（株）オハラ製
硝種名：Ｌ−ＢＢＨ１、Ｌ−ＢＢＨ２、Ｌ−ＮＢＨ５４、Ｌ−ＴＩＨ５３、
Ｌ−ＬＡＨ８６、Ｌ−ＴＩＭ２８
【００５１】
前記正のパワーを有するレンズ素子の硝材の代替例を以下に記載する。
エ．ＨＯＹＡ（株）製
硝種名：Ｍ−ＦＣＤ５００、Ｍ−ＢＡＣＤ５Ｎ、Ｍ−ＰＣＤ５１、
Ｍ−ＢＡＣＤ１２、Ｍ−ＰＣＤ４、Ｍ−ＢＡＣＤ１２、
Ｍ−ＢＡＣＤ１５、Ｍ−ＬＡＣ１４、Ｍ−ＬＡＣ１３０、
Ｍ−ＬＡＣ８、Ｍ−ＴＡＣ８０、Ｍ−ＴＡＣ６０
オ．（株）住田光学ガラス製
硝種名：Ｋ−ＧＦＫ７０、Ｋ−ＧＦＫ６８、Ｋ−ＰＳＫ３００、
Ｋ−ＬａＦＫ６０、Ｋ−ＰＳＫ１１、Ｋ−ＣＳＫ１２０、
Ｋ−ＰＳＫ１００、Ｋ−ＶＣ７９、Ｋ−ＰＳＫ２００、
Ｋ−ＶＣ７８、Ｋ−ＬａＦＫ５５、Ｋ−ＶＣ８０、
Ｋ−ＬａＦＫ５０
カ．（株）オハラ製
硝種名：Ｌ−ＬＡＬ１３、Ｌ−ＬＡＬ１２、Ｌ−ＢＡＬ４３、
Ｌ−ＢＡＬ４２、Ｌ−ＢＡＬ３５、Ｓ−ＦＰＭ２、
Ｌ−ＰＨＬ２
【００５２】
以下、例えば実施の形態１〜６に係る単焦点レンズ系のごとき単焦点レンズ系が満足することが有益な条件を説明する。なお、各実施の形態に係る単焦点レンズ系に対して、複数の有益な条件が規定されるが、これら複数の条件すべてを満足する単焦点レンズ系の構成が最も効果的である。しかしながら、個別の条件を満足することにより、それぞれ対応する効果を奏する単焦点レンズ系を得ることも可能である。
【００５３】
例えば実施の形態１〜６に係る単焦点レンズ系のように、本開示における単焦点レンズ系は、物体側から像側へと順に、第１群と、開口絞りと、第２群とからなり、前記第２群は、正のパワーを有する接合レンズ素子を含み、該接合レンズ素子の接合面は、非球面である。以下、このレンズ構成を、実施の形態の基本構成という。
【００５４】
このように、第２群中の接合レンズ素子の接合面を非球面とすることで、色収差を良好に補正することが可能となる。
【００５５】
そして、基本構成を有する単焦点レンズ系において、第２群中の接合レンズ素子は、以下の条件（１）を満足する。
｜ｄｎ／ｄｔ１｜ＭＡＸ≦２．６７×１０−５  ・・・（１）
ここで、
｜ｄｎ／ｄｔ１｜ＭＡＸ：接合レンズ素子を構成する各レンズ素子について求めた、波長領域５８０〜６４０ｎｍの光に対する０〜２０℃の空気中での相対屈折率温度係数の絶対値における、最大値
である。
【００５６】
前記条件（１）は、第２群中の接合レンズ素子を構成するレンズ素子の相対屈折率温度係数に関する条件である。条件（１）を満足することで、正のパワーを有し、接合面が非球面である接合レンズ素子の相対屈折率温度係数を小さく抑えることができるので、温度変化時にレンズ素子の屈折率が変化することによって生じる光軸方向でのピントずれを小さくすることができる。
【００５７】
以下の条件（１）’を満足することにより、前記効果をさらに奏功させることができる。
｜ｄｎ／ｄｔ１｜ＭＡＸ≦７．５０×１０−６  ・・・（１）’
【００５８】
なお、前記温度変化時にレンズ素子の屈折率が変化することによって生じる光軸方向でのピントずれについては、以下の条件（ａ）が満足されることが有益である。
｜ｄＢＦ／ｆ｜≦３．５０×１０−４  ・・・（ａ）
ここで、
ｄＢＦ：温度変化１℃あたりの各レンズ素子の屈折率の変化によって生じる光軸方向でのピントずれ、
ｆ：全系のｄ線における焦点距離
である。
【００５９】
後述する数値実施例１〜６に係る単焦点レンズ系では、第２群の接合レンズ素子が前記条件（１）を満足することで、前記条件（ａ）が満足されている。
【００６０】
なお、本開示において、簡易化のために、ＪＩＳ  Ｘ  ０２１０「情報交換用文字列による数値表現」にて規定の指数表記を用いる場合がある。例えば、「２．６７×１０−５」は「２．６７Ｅ−０５」と表現する。
【００６１】
例えば実施の形態１〜６に係る単焦点レンズ系のように、基本構成を有する単焦点レンズ系は、以下の条件（２）を満足することが有益である。
２ωＤＩＡ≧１５０  ・・・（２）
ここで、
２ωＤＩＡ：対角画角（°）
である。
【００６２】
前記条件（２）は、単焦点レンズ系の対角画角に関する条件である。本開示における単焦点レンズ系では、条件（２）を満足しつつ、温度変化時にレンズ素子の屈折率が変化することによって生じる光軸方向でのピントずれを小さくすることができる。
【００６３】
本開示における単焦点レンズ系は、以下の条件（２）’を満足しても、前記効果を奏功することができる。
２ωＤＩＡ≧１６０  ・・・（２）’
【００６４】
後述する数値実施例１〜６に係る単焦点レンズ系は、条件（２）を満足することで、高い光学性能を維持しつつ、さらなる広角化を実現している。
【００６５】
なお、本開示における単焦点レンズ系を備えたカメラを、自動車の車両の後側位置に設置し、後方確認用車載カメラとして適用する場合は、前記対角画角が大きいだけではなく、水平画角もある程度の大きさを有することが有益である。
【００６６】
例えば、米国における運輸省道路交通安全局からの通達によると、図１４の概略図に示されるように、車載カメラによる車両後方の視認の可否の決定箇所はＡ〜Ｇの７点であり、これらＡ〜Ｇの７点を含む範囲は、３．０４ｍ×６．１０ｍの大きさである。すなわち、車両後方の約３ｍ×６ｍの範囲にある物体、人物等を運転者が視認することができる画像（映像）を提供し得る車載カメラの設置が、米国において義務付けられようとしている。
【００６７】
前記Ａ〜Ｇの７点のうち、車両に最も近いＦ及びＧの２点において、例えば高さ約８０ｃｍ（一般に、幼児の身長程度の高さ）の物体、人物等の視認が可能な画像（映像）を提供しようとする場合には、車載カメラに備えられた単焦点レンズ系は、以下の条件（ｂ）を満足することが有益である。
２ωＨＯＲ≧１７６  ・・・（ｂ）
ここで、
２ωＨＯＲ：水平画角（°）
である。
【００６８】
なお、後の表１９に示す数値実施例１〜６に係る単焦点レンズ系の水平画角は、本開示におけるカメラに備えられる撮像素子の横幅と縦幅との比率を、横幅：縦幅＝４：３と想定した場合の値であり、横幅：縦幅＝１６：９と想定した場合には、単焦点レンズ系の水平画角はさらに大きくなる。
【００６９】
例えば実施の形態１〜６に係る単焦点レンズ系のように、基本構成を有する単焦点レンズ系は、以下の条件（３）を満足することが有益である。
２．０＜ｆＣＥＭ／ｆ＜４．０  ・・・（３）
ここで、
ｆＣＥＭ：接合レンズ素子のｄ線における焦点距離、
ｆ：全系のｄ線における焦点距離
である。
【００７０】
前記条件（３）は、第２群中の接合レンズ素子の焦点距離と単焦点レンズ系全系の焦点距離との比に関する条件である。条件（３）を満足することで、単焦点レンズ系における接合レンズ素子のパワーを適切な値に調整することができるので、小型で良好な収差性能を有する単焦点レンズ系の実現が可能となる。条件（３）の上限を上回ると、接合レンズ素子のパワーが小さくなりすぎ、レンズ全長が長くなり、結果として単焦点レンズ系の小型化が困難となる。条件（３）の下限を下回ると、接合レンズ素子のパワーが大きくなりすぎ、発生する収差が大きくなり、適切な収差補正が困難となる。
【００７１】
以下の条件（３）’及び（３）’’の少なくとも１つを満足することにより、前記効果をさらに奏功させることができる。
２．４＜ｆＣＥＭ／ｆ  ・・・（３）’
ｆＣＥＭ／ｆ＜３．５  ・・・（３）’’
【００７２】
後述する数値実施例１〜６に係る単焦点レンズ系は、条件（３）を満足することで、さらなる小型化と良好な収差性能の維持とを両立している。
【００７３】
例えば実施の形態１〜６に係る単焦点レンズ系のように、基本構成を有する単焦点レンズ系では、第１群は、最物体側にガラスからなるレンズ素子を備えることが有益である。このように、全系の最物体側にガラスからなるレンズ素子を配置することで、単焦点レンズ系の耐環境性を向上させることができる。
【００７４】
例えば実施の形態１〜６に係る単焦点レンズ系のように、基本構成を有し、第１群が、物体側から像側へと順に、物体側に凸面を向けた負メニスカス形状のレンズ素子と、負のパワーを有するレンズ素子（以下、略して負レンズ素子ともいう）と、正のパワーを有するレンズ素子（以下、略して正レンズ素子ともいう）とを備える単焦点レンズ系は、以下の条件（４）を満足することが有益である。
｜ｄｎ／ｄｔ２｜ＭＡＸ≧９．００×１０−５  ・・・（４）
ここで、
｜ｄｎ／ｄｔ２｜ＭＡＸ：第１群を構成する負レンズ素子及び正レンズ素子について求めた、波長領域５８０〜６４０ｎｍの光に対する０〜２０℃の空気中での相対屈折率温度係数の絶対値における、最大値
である。
【００７５】
前記条件（４）は、第１群を構成する負レンズ素子及び正レンズ素子の相対屈折率温度係数に関する条件である。条件（４）を満足することで、第２群中の接合レンズ素子よりも物体側に配置されるレンズ素子は、パワーを比較的弱くすることができるので、相対屈折率温度係数の絶対値が大きくても、正レンズ素子と負レンズ素子とを適切に組み合わせることにより、温度変化時にレンズ素子の屈折率が変化することによって生じる光軸方向でのピントずれを相殺することができる。また、これら正レンズ素子及び負レンズ素子として、非球面を含む樹脂からなるレンズ素子を採用した場合には、諸収差を良好に補正しつつ、低コスト化を図ることができる。
【００７６】
以下の条件（４）’を満足することにより、前記効果をさらに奏功させることができる。
｜ｄｎ／ｄｔ２｜ＭＡＸ≧１．００×１０−４  ・・・（４）’
【００７７】
後述する数値実施例１、４及び５に係る単焦点レンズ系は、条件（４）を満足している。このため、数値実施例１、４及び５に係る単焦点レンズ系では、条件（４）が満足されたとしても、前記条件（ａ）が満足されるようにしている。
【００７８】
例えば実施の形態１〜６に係る単焦点レンズ系のように、基本構成を有し、接合レンズ素子が、負レンズ素子と正レンズ素子とからなる単焦点レンズ系は、以下の条件（５）を満足することが有益である。
ＮｄＭＩＮ＞１．５０  ・・・（５）
ここで、
ＮｄＭＩＮ：接合レンズ素子を構成する正レンズ素子の、ｄ線における屈折率
である。
【００７９】
前記条件（５）は、接合レンズ素子を構成する正レンズ素子の屈折率に関する条件である。条件（５）を満足することで、接合レンズ素子の曲率半径を大きくすることができる。その結果、接合レンズ素子の周辺部の傾斜角を緩めることができ、接合レンズ素子の製造難易度を低下させて低コスト化を図ることが可能となる。
【００８０】
以下の条件（５）’を満足することにより、前記効果をさらに奏功させることができる。
ＮｄＭＩＮ＞１．５５  ・・・（５）’
【００８１】
後述する数値実施例１〜６に係る単焦点レンズ系は、条件（５）を満足することで、さらなる低コスト化を実現している。
【００８２】
（実施の形態７：カメラ及び自動車）
実施の形態１に係る単焦点レンズ系を備えたカメラについて、車載カメラを例に挙げて説明する。なお、該車載カメラにおいて、実施の形態１に係る単焦点レンズ系の替わりに、実施の形態２〜６に係る単焦点レンズ系のいずれか１つを適用してもよい。
【００８３】
図１３（ａ）は、実施の形態１に係る単焦点レンズ系を備えた車載カメラの概略図であり、車載カメラ１００は、単焦点レンズ系２０１と、該単焦点レンズ系２０１で集光された光を撮像する撮像素子２０２とを備えている。
【００８４】
車載カメラ１００は、車両に設定され、センシングカメラ又はビューカメラとして用いられる。センシングカメラで撮像した画像は、他の車両との車間距離等をチェックするために用いられる。ビューカメラで撮像した画像は、車内のモニタに表示され、運転者が車両前方や車両後方を確認するために用いられる。
【００８５】
本開示における単焦点レンズ系は、温度特性を考慮した、対角画角が１５０°以上と非常に広角化が図られたレンズ系であり、従来のレンズ系と比べて、温度変化に伴う撮像画像の収差の発生を極力抑えることができるので、ビューカメラのレンズ系として有効である。
【００８６】
次に、本開示における自動車について、前記ビューカメラを備えた自動車を例に挙げて説明する。
【００８７】
図１３（ｂ）は、カメラを車両の後側位置に備えた自動車の概略図である。自動車は、車両の後側位置に車載カメラ１００を備えており、該車載カメラ１００に備えられた撮像素子２０２により得られた撮像画像に基づいて外部環境を検知し、各部を制御する処理部（ＣＰＵ）３００を備えている。
【００８８】
撮像素子２０２は、単焦点レンズ系２０１によって形成される光学像を受光し、電気的な画像信号に変換する。ＣＰＵ３００は、画像信号を取得し、歩行者や障害物の存在等をチェックし、チェック結果に応じて、運転者への歩行者や障害物の存在の報知等を行う。
【００８９】
このように、本開示における単焦点レンズ系は、ビューカメラのレンズ系として有効であるが、センシングカメラのレンズ系として用いることもできる。
【００９０】
前記のとおり、車載カメラを、ビューカメラの中でもリアビューカメラ（後方確認用車載カメラ）として適用する場合は、前記対角画角が大きいだけではなく、水平画角もある程度の大きさを有することが有益である。
【００９１】
図１４の概略図における、リアビューカメラによる車両後方の視認の可否の決定箇所Ａ〜Ｇの７点のうち、車両に最も近いＦ及びＧの２点において、例えば高さ約８０ｃｍの物体、人物等の視認が可能な画像（映像）を提供しようとする場合には、車載カメラに備えられた単焦点レンズ系は、前記条件（ｂ）を満足する、すなわち、水平画角が１７６°以上であることが有益である。本開示における単焦点レンズ系の中でも、実施の形態１〜３及び６に係る単焦点レンズ系は、１９０°前後の大きな水平画角を有しているので、車両後方のより広範囲における視認が可能であり、このようなリアビューカメラのレンズ系としても非常に有効である。
【００９２】
以上のように、本出願において開示する技術の例示として、実施の形態７を説明した。しかしながら、本開示における技術は、これに限定されず、適宜、変更、置き換え、付加、省略などを行った実施の形態にも適用可能である。
【００９３】
なお、本開示における実施の形態１〜６に係る単焦点レンズ系を、センシングカメラ又はビューカメラである車載カメラに適用した例を、実施の形態７として示したが、本開示における単焦点レンズ系は、例えば監視システムにおける監視カメラ、Ｗｅｂカメラ等に適用することも勿論可能である。
【００９４】
（数値実施例１〜６）
以下、実施の形態１〜６に係る単焦点レンズ系を具体的に実施した数値実施例を説明する。なお、各数値実施例において、表中の長さの単位はすべて「ｍｍ」であり、画角の単位はすべて「°」である。なお、表中「画角」とあるのは、対角半画角のことである。各数値実施例において、ｒは曲率半径、ｄは面間隔、ｎｄはｄ線に対する屈折率、ｖｄはｄ線に対するアッベ数、ｄｎ／ｄｔは波長領域５８０〜６４０ｎｍの光に対する０〜２０℃の空気中での相対屈折率温度係数である。また、各数値実施例において、＊印を付した面は非球面であり、非球面形状は次式で定義している。
【数１】
0006519758.tif 000002
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００９５】
図２、４、６、８，１０及び１２は、各々数値実施例１〜６に係る単焦点レンズ系の無限遠合焦状態の縦収差図である。
【００９６】
各縦収差図は、上側から順に、球面収差（ＳＡ（ｍｍ））、非点収差（ＡＳＴ（ｍｍ））、歪曲収差（ＤＩＳ（％））を示す。
【００９７】
球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。
【００９８】
非点収差図において、縦軸は像高を表し、ｗは対角半画角を示す。実線はサジタル平面（図中、ｓで示す）、破線はメリディオナル平面（図中、ｍで示す）の特性である。
【００９９】
歪曲収差図において、縦軸は像高を表し、ｗは対角半画角を示す。実線は、Ｙ＝２×ｆ×ｔａｎ（ω／２）を理想像高とした場合（立体射影方式）の歪曲収差を示している（Ｙ：像高、ｆ：全系の焦点距離）。
【０１００】
（数値実施例１）
数値実施例１の単焦点レンズ系は、図１に示した実施の形態１に対応する。数値実施例１の単焦点レンズ系の面データを表１に、非球面データを表２に、各種データを表３に示す。
【０１０１】
表  １（面データ）
面番号         r           d           nd         vd       dn/dt
物面             ∞                                     
1         11.35070     0.60000     1.83481    42.7      4.70E-06
2          3.70350     2.32000                         
3*       -33.90210     0.60000     1.53460    56.3     -9.20E-05
4*         1.40460     1.33000                         
5*        18.02970     1.50000     1.63450    23.9     -1.10E-04
6*        -3.47580     0.96500                         
7(絞り)           ∞     0.60000                         
8*         2.41960     0.60000     1.83271    24.1     -1.10E-06
9*         1.06890     1.71000     1.61881    63.9     -2.90E-06
10*        -2.28030     1.67420                         
11               ∞     0.70000     1.51680    64.1      2.20E-06
12               ∞     0.10000                         
13               ∞        (BF)                         
像面             ∞                                     
【０１０２】
表  ２（非球面データ）
第3面
K=-3.17199E+02, A4= 1.09422E-03, A6=-1.21083E-04, A8=-1.61127E-05 
A10= 1.45427E-06, A12= 0.00000E+00, A14= 0.00000E+00, A16= 0.00000E+00 
第4面
K=-5.80806E-01, A4= 1.41103E-02, A6=-1.86620E-03, A8= 7.07398E-03 
A10=-1.71716E-03, A12=-4.33448E-04, A14= 5.02234E-04, A16=-1.00984E-04 
第5面
K= 8.20985E+01, A4= 4.08397E-03, A6= 3.87174E-03, A8=-4.22244E-04 
A10= 0.00000E+00, A12= 0.00000E+00, A14= 0.00000E+00, A16= 0.00000E+00 
第6面
K=-2.13843E+00, A4= 6.46864E-03, A6=-2.56893E-03, A8=-2.17942E-04 
A10= 0.00000E+00, A12= 0.00000E+00, A14= 0.00000E+00, A16= 0.00000E+00 
第8面
K= 3.98312E-01, A4=-8.81298E-03, A6= 7.79660E-04, A8=-2.62717E-03 
A10= 2.00824E-03, A12=-8.08704E-04, A14=-2.00864E-06, A16=-1.32875E-06 
第9面
K=-6.78769E-01, A4= 6.81879E-02, A6=-8.10911E-02, A8= 2.89796E-02 
A10= 3.42269E-03, A12=-2.31368E-03, A14=-2.71488E-03, A16= 5.80436E-04 
第10面
K=-1.11291E+00, A4= 8.63634E-03, A6=-4.63511E-03, A8= 2.27847E-02 
A10=-1.51526E-02, A12=-9.53189E-04, A14= 5.62029E-03, A16=-1.57910E-03 
【０１０３】
表  ３（各種データ）
焦点距離       0.9801
Ｆナンバー     2.07010
画角       108.0000
像高         1.9000
レンズ全長     12.6841
ＢＦ       -0.01512
入射瞳位置      3.0287
射出瞳位置     -6.3628
前側主点位置    3.8574
後側主点位置   11.7040
単レンズデータ
レンズ     始面     焦点距離
1         1       -6.8286
2         3       -2.5080
3         5        4.7204
4         8       -2.8809
5         9        1.4613
接合レンズデータ
始面      終面     焦点距離
8        10        2.7807
【０１０４】
（数値実施例２）
数値実施例２の単焦点レンズ系は、図３に示した実施の形態２に対応する。数値実施例２の単焦点レンズ系の面データを表４に、非球面データを表５に、各種データを表６に示す。
【０１０５】
表  ４（面データ）
面番号         r           d           nd         vd       dn/dt
物面             ∞                                     
1          8.69940     0.60000     1.83481    42.7      4.70E-06
2          3.05460     2.45290                          
3        -22.67870     0.72110     1.77250    49.6      4.80E-06
4          1.89430     0.77250                          
5        188.81560     2.81450     1.90366    31.3      3.40E-06
6         -4.15070     0.19470                          
7(絞り)           ∞     0.75700                          
8*         2.77870     3.06110     1.72903    54.0      4.10E-06
9*        -1.22220     0.50000     2.00178    19.3      6.30E-06
10*        -3.14200     1.37180                          
11               ∞     0.70000     1.51680    64.1      2.20E-06
12               ∞     0.10000                         
13               ∞        (BF)                         
像面             ∞                                     
【０１０６】
表  ５（非球面データ）
第8面
K= 3.70812E-02, A4= 3.34078E-03, A6= 2.96074E-03, A8=-8.63765E-04 
第9面
K=-8.91526E-01, A4=-3.30865E-02, A6= 8.86206E-03, A8= 5.10167E-03 
第10面
K=-1.35766E+01, A4=-2.49491E-02, A6= 1.95944E-02, A8=-3.20199E-04 
【０１０７】
表  ６（各種データ）
焦点距離       1.0458
Ｆナンバー     2.05929
画角       107.0000
像高         1.9418
レンズ全長     14.0738
ＢＦ        0.02818
入射瞳位置      2.8513
射出瞳位置     -7.0220
前側主点位置    3.7419
後側主点位置   13.0280
単レンズデータ
レンズ     始面     焦点距離
1         1       -5.9256
2         3       -2.2346
3         5        4.5258
4         8        1.7188
5         9       -2.2960
接合レンズデータ
始面      終面     焦点距離
8        10        3.3089
【０１０８】
（数値実施例３）
数値実施例３の単焦点レンズ系は、図５に示した実施の形態３に対応する。数値実施例３の単焦点レンズ系の面データを表７に、非球面データを表８に、各種データを表９に示す。
【０１０９】
表  ７（面データ）
面番号         r           d           nd         vd       dn/dt
物面             ∞                                     
1          7.87980     0.60000     1.83481    42.7      4.70E-06
2          3.17420     1.69190                         
3         22.03630     0.60000     1.77250    49.6      4.80E-06
4          1.60000     1.71810                         
5         71.26080     2.07950     1.90366    31.3      3.40E-06
6         -3.44130     0.16080                         
7(絞り)           ∞     0.92020                         
8*         2.89540     0.94730     1.82115    24.1     -2.00E-07
9*         0.85900     2.10720     1.61881    63.9     -2.90E-06
10*        -2.10700     1.32820                         
11               ∞     0.70000     1.51680    64.1      2.20E-06
12               ∞     0.10000                         
13               ∞        (BF)                         
像面             ∞                                     
【０１１０】
表  ８（非球面データ）
第8面
K=-8.88056E-01, A4=-8.21796E-03, A6=-4.02136E-03, A8= 2.92067E-03 
A10=-6.35903E-04, A12= 0.00000E+00 
第9面
K=-1.07923E+00, A4= 5.38597E-02, A6=-5.47753E-02, A8= 1.84038E-02 
A10=-1.16473E-03, A12=-8.46024E-04 
第10面
K=-7.62804E-01, A4= 2.28416E-03, A6= 1.26424E-02, A8=-7.95749E-03 
A10= 2.46051E-03, A12= 0.00000E+00 
【０１１１】
表  ９（各種データ）
焦点距離       0.9964
Ｆナンバー     2.07826
画角       109.0000
像高         1.9559
レンズ全長     12.9880
ＢＦ        0.03478
入射瞳位置      2.7122
射出瞳位置    -12.0223
前側主点位置    3.6263
後側主点位置   11.9916
単レンズデータ
レンズ     始面     焦点距離
1         1       -6.7593
2         3       -2.2623
3         5        3.6814
4         8       -1.8821
5         9        1.3538
接合レンズデータ
始面      終面     焦点距離
8        10        3.3167
【０１１２】
（数値実施例４）
数値実施例４の単焦点レンズ系は、図７に示した実施の形態４に対応する。数値実施例４の単焦点レンズ系の面データを表１０に、非球面データを表１１に、各種データを表１２に示す。
【０１１３】
表  １０（面データ）
面番号         r           d           nd         vd       dn/dt
物面             ∞                                     
1         37.92220     0.60000     1.72916    54.7      2.60E-06
2          6.70500     2.70000                         
3*      -835.48100     0.84000     1.53460    56.3     -9.20E-05
4*         2.66920     2.81000                         
5*        11.09970     3.09000     1.63450    23.9     -1.10E-04
6*        -8.83650     0.45000                         
7(絞り)           ∞     0.06000                         
8*         4.68880     2.15550     1.68893    31.2     -2.90E-06
9*         1.16450     2.90750     1.55332    71.7     -5.70E-06
10*        -3.95110     4.21560                         
11               ∞     0.90000     1.51680    64.2      2.60E-06
12               ∞     0.30000                         
13               ∞        (BF)                         
像面             ∞                                     
【０１１４】
表  １１（非球面データ）
第3面
K= 1.00000E+03, A4= 4.07645E-04, A6=-3.78260E-07, A8=-9.85094E-08 
A10=-1.33542E-08, A12=-8.45609E-10, A14=-7.49711E-12, A16=-6.25430E-13 
第4面
K=-8.25858E-01, A4= 2.57983E-05, A6= 2.23395E-04, A8= 5.79271E-06 
A10= 3.72598E-06, A12= 7.21702E-09, A14= 0.00000E+00, A16= 0.00000E+00 
第5面
K=-3.39245E+01, A4= 1.38898E-03, A6= 1.24680E-04, A8=-1.56215E-06 
A10= 4.29395E-06, A12= 2.45888E-07, A14= 0.00000E+00, A16= 0.00000E+00 
第6面
K= 1.10394E+00, A4=-8.14425E-04, A6= 9.44115E-04, A8=-3.93687E-05 
A10= 2.93378E-06, A12= 5.03951E-08, A14=-3.34428E-07, A16= 5.75048E-07 
第8面
K=-2.57270E+00, A4=-9.82327E-04, A6= 7.72242E-04, A8= 1.89571E-04 
A10=-2.55084E-04, A12= 1.39069E-04, A14= 6.11709E-05, A16=-4.97849E-05 
第9面
K=-9.39432E-01, A4=-7.58456E-03, A6= 2.94691E-04, A8= 9.79729E-04 
A10=-8.26440E-06, A12=-3.64238E-05, A14= 2.64487E-05, A16=-8.11723E-06 
第10面
K=-1.90909E+00, A4=-1.11112E-03, A6= 5.28479E-04, A8=-1.26240E-04 
A10=-9.92121E-06, A12= 2.82318E-06, A14= 8.43271E-07, A16=-3.14709E-07 
【０１１５】
表  １２（各種データ）
焦点距離       2.5577
Ｆナンバー     2.90243
画角        80.0000
像高         3.5931
レンズ全長     21.0449
ＢＦ        0.01630
入射瞳位置      4.2490
射出瞳位置    -10.3679
前側主点位置    6.1767
後側主点位置   18.4872
単レンズデータ
レンズ     始面     焦点距離
1         1      -11.2618
2         3       -4.9753
3         5        8.2502
4         8       -2.9963
5         9        2.0381
接合レンズデータ
始面      終面     焦点距離
8        10        6.5624
【０１１６】
（数値実施例５）
数値実施例５の単焦点レンズ系は、図９に示した実施の形態５に対応する。数値実施例５の単焦点レンズ系の面データを表１３に、非球面データを表１４に、各種データを表１５に示す。
【０１１７】
表  １３（面データ）
面番号         r           d           nd         vd       dn/dt
物面             ∞                                     
1         38.72870     0.60000     1.72916    54.7      2.60E-06
2          6.63090     2.30000                         
3*      -229.63260     0.84000     1.53460    56.3     -9.20E-05
4*         2.68390     2.85000                         
5*        10.93090     3.09000     1.63450    23.9     -1.10E-04
6*        -8.71100     0.47000                         
7(絞り)           ∞     0.00000                         
8*         5.81610     2.40000     1.82115    24.1     -2.00E-07
9*         1.64400     2.95000     1.61881    63.9     -2.90E-06
10*        -4.15220     4.35500                         
11               ∞     0.90000     1.51680    64.2      2.60E-06
12               ∞     0.30000                         
13               ∞        (BF)                         
像面             ∞                                     
【０１１８】
表  １４（非球面データ）
第3面
K= 1.00000E+03, A4= 4.07630E-04, A6=-4.09635E-07, A8=-1.02624E-07 
A10=-1.36542E-08, A12=-8.51123E-10, A14=-6.47434E-12, A16=-4.26061E-13 
第4面
K=-8.26237E-01, A4= 2.25543E-05, A6= 2.23243E-04, A8= 5.83952E-06 
A10= 3.73936E-06, A12= 9.83906E-09, A14= 0.00000E+00, A16= 0.00000E+00 
第5面
K=-3.38965E+01, A4= 1.39142E-03, A6= 1.25248E-04, A8=-1.38836E-06 
A10= 4.35285E-06, A12= 2.65445E-07, A14= 0.00000E+00, A16= 0.00000E+00 
第6面
K= 1.07958E+00, A4=-8.10132E-04, A6= 9.49817E-04, A8=-3.72019E-05 
A10= 3.00728E-06, A12=-5.99960E-07, A14=-7.14312E-07, A16= 3.29022E-07 
第8面
K=-6.22451E-01, A4=-2.20975E-03, A6=-1.71634E-05, A8= 8.30452E-04 
A10=-2.37223E-04, A12=-8.76248E-05, A14= 1.00417E-05, A16= 1.81446E-05 
第9面
K=-8.91638E-01, A4=-8.12343E-03, A6=-5.92764E-04, A8= 8.23238E-04 
A10=-1.63472E-04, A12= 9.70445E-06, A14= 6.34900E-06, A16=-1.16995E-06 
第10面
K=-2.11980E+00, A4=-6.16754E-04, A6= 4.65339E-04, A8=-5.80184E-05 
A10= 3.77877E-06, A12=-2.44485E-07, A14= 5.38180E-07, A16=-9.44250E-08 
【０１１９】
表  １５（各種データ）
焦点距離       2.5944
Ｆナンバー     2.89890
画角        80.0000
像高         3.5924
レンズ全長     21.0665
ＢＦ        0.01154
入射瞳位置      4.0506
射出瞳位置    -10.5328
前側主点位置    6.0066
後側主点位置   18.4722
単レンズデータ
レンズ     始面     焦点距離
1         1      -11.0597
2         3       -4.9561
3         5        8.1372
4         8       -3.7684
5         9        2.3629
接合レンズデータ
始面      終面     焦点距離
8        10        6.6150
【０１２０】
（数値実施例６）
数値実施例６の単焦点レンズ系は、図１１に示した実施の形態６に対応する。数値実施例６の単焦点レンズ系の面データを表１６に、非球面データを表１７に、各種データを表１８に示す。
【０１２１】
表  １６（面データ）
面番号         r           d           nd         vd       dn/dt
物面             ∞                                     
1          9.00620     0.60000     1.83481    42.7      4.70E-06
2          3.00700     2.40280                          
3        -27.06920     0.73760     1.77250    49.6      4.80E-06
4          1.89060     0.77430                          
5        141.82810     2.82050     1.90366    31.3      3.40E-06
6         -4.16160     0.20770                          
7(絞り)           ∞     0.78630                          
8*         2.70060     3.05190     1.72903    54.0      4.10E-06
9*        -1.36960     0.50000     2.14780    17.3      2.67E-05
10*        -2.99990     1.36780                          
11               ∞     0.70000     1.51680    64.1      2.20E-06
12               ∞     0.10000                         
13               ∞        (BF)                         
像面             ∞                                     
【０１２２】
表  １７（非球面データ）
第8面
K=-9.59574E-02, A4= 3.40436E-03, A6= 2.98797E-03, A8=-6.90765E-04 
第9面
K=-1.00383E+00, A4=-2.77855E-02, A6= 4.22185E-04, A8= 6.41574E-03 
第10面
K=-1.14849E+01, A4=-2.72463E-02, A6= 1.80108E-02, A8= 1.82867E-04 
【０１２３】
表  １８（各種データ）
焦点距離       1.0424
Ｆナンバー     2.07151
画角       107.0000
像高         1.9453
レンズ全長     14.0835
ＢＦ        0.03458
入射瞳位置      2.7915
射出瞳位置     -7.0516
前側主点位置    3.6806
後側主点位置   13.0411
単レンズデータ
レンズ     始面     焦点距離
1         1       -5.6653
2         3       -2.2625
3         5        4.5154
4         8        1.8228
5         9       -2.6261
接合レンズデータ
始面      終面     焦点距離
8        10        3.3289
【０１２４】
以下の表１９に、各数値実施例の単焦点レンズ系における各条件の対応値を示す。
【０１２５】
表  １９（条件の対応値）
【表１】
0006519758.tif 000003
【０１２６】
以上のように、本開示における技術の例示として、実施の形態を説明した。そのために、添付図面および詳細な説明を提供した。
【０１２７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２８】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２９】
本開示は、車載カメラ、監視カメラ、Ｗｅｂカメラ等に適用可能である。特に本開示は、車載カメラ、監視カメラといった広角レンズ系が求められるカメラにおいて有益である。
【符号の説明】
【０１３０】
Ｌ１    第１レンズ素子
Ｌ２    第２レンズ素子
Ｌ３    第３レンズ素子
Ｌ４    第４レンズ素子
Ｌ５    第５レンズ素子
ＣＧ    平行平板
Ａ      開口絞り
Ｓ      像面
２０１  単焦点レンズ系
【図１】
0006519758.tif 000004
【図２】
0006519758.tif 000005
【図３】
0006519758.tif 000006
【図４】
0006519758.tif 000007
【図５】
0006519758.tif 000008
【図６】
0006519758.tif 000009
【図７】
0006519758.tif 000010
【図８】
0006519758.tif 000011
【図９】
0006519758.tif 000012
【図１０】
0006519758.tif 000013
【図１１】
0006519758.tif 000014
【図１２】
0006519758.tif 000015
【図１３】
0006519758.tif 000016
【図１４】
0006519758.tif 000017